Podtech/llm-jp-corpus-v4-ja_patent huggingface dataset:
(57)【要約】      （修正有）【課題】世の中で出た良い意見を有効に活用できるようにする。【解決手段】一億の意見があるとし、それを４０個ずつの意見の塊ずつ分けると、４０個の意見の塊が二百五十万個になる。それぞれの４０個の意見の塊の中から一番良い案を選出する。１人が１組の４０個の意見を担当し、１番良い意見を選出する。そうすると二百五十万の人が必要になる。そうすると二百五十万の意見が選出されることになる。二百五十万の意見を４０個ずつの意見の塊ずつ分けると、４０個の意見の塊が６２５００個になる。それぞれの４０個の意見の塊の中から一番良い案を選出する。１人が１組の４０個の意見を担当し、一番良い意見を選出する。そうすると６２５００の意見が選出される。そうすると６２５００の人が必要になる。そのような要領でよい案を選出して行き最終的に１つの意見が選出されるようにするシステム。２５６４１０４人の選抜人が必要になる。【選択図】なし【特許請求の範囲】
【請求項１】
世の中で出た良い意見を有効に活用できるようにする意見トーナメント制
【発明の詳細な説明】
【技術分野】
【０００１】  この発明は、新しい意見採用システムである。
【背景技術】
【０００２】  本発明に似ているものとしては、コンピュータープログラムとしてはミクシーやツイッターや２チャンネルがある。
【発明が解決しようとする課題】
【０００３】  この発明の課題は世の中で出た良い意見を有効に活用できるようにすることである。そして直接政治の状況を可能にすることである。
【発明の開示】
【０００４】  例えば、「政府は何をすべきか」というテーマで意見を募るとする。
【０００５】  国民全員が一人一人それぞれに一つずつの意見を創出した場合、１億人の人口の国では一億の意見が創出される。
【０００６】  １００００００００の意見があるとし、それを４０個ずつの意見の塊ずつ分けると、４０個の意見の塊が２５０００００組できる。それぞれの４０個の意見の塊の中から一番良い案を選出する。１人が１組の４０個の意見を担当し、１番良い意見を選出する。そうすると２５０００００人が必要になる。その中から良い意見を一つずつ選ぶと２５０００００の意見が選出されることになる。
【０００７】  次に２５０００００の意見を４０個ずつの意見の塊ずつ分けると、４０個の意見の塊が６２５００組できる。１人が１組の４０個の意見を担当し、それぞれの４０個の意見の塊の中から一番良い案を選出する。そうすると６２５００人が必要になる。その中から良い意見を一つずつ選ぶと６２５００の意見が選出される。
【０００８】  ６２５００の意見をさらに４０個ずつの意見の塊ずつ分けると、４０個の意見の塊が約１５６３組できる。１人が１組の４０個の意見を担当し、それぞれの４０個の意見の塊の中から一番良い案を選出する。そうすると１５６３人が必要になる。その中から良い意見を一つずつ選ぶと１５６３の意見が選ばれる。
【０００９】  １５６３の意見をさらに４０の意見の塊ずつ分けると、４０個の意見の塊が約３９組できる。１人が１組の４０個の意見を担当し、それぞれの４０個の意見の塊の中から一番良い案を選出する。そうすると３９人が必要になる。その中から良い意見を一つずつ選ぶと３９の意見が選ばれる。
【００１０】  ３９の意見をさらに３９の意見の塊ずつ分けると、３９個の意見の塊が１組できる。１人が１組の３９個の意見を担当し、３９個の意見の塊の中から一番良い案を選出する。そうすると１人が必要になる。その中から良い意見を一つ選ぶと１つの意見が選ばれる。
【００１１】  それが１億人の国における、ある定義における最善の意見、ということになる。
【００１２】  そのような要領でよい案を選出して行き最終的に一つの意見が選出されるようにする。すると２５６４１０４人の選抜人が必要になる。
【００１３】  意見を選出するためには複数の人々に良い案を選んでもらって、多くのポイントを稼いだものを選出ことなども考えられる。
【００１４】  そしてそれらの案は全て公表されるのが良いだろう。そして見逃された良い案なども見出されるべきであろう。
【００１５】  「政府は何をすべきか」というテーマで意見を募ったのだから、「政府は何をすべきか」というテーマで１億の意見の中から１番の意見が選出される。
【００１６】  それらの方法を取ることによって、直接政治の状況は作り出すことが可能である。そのような形で新しい形の政治形態は作り出される。
【００１７】  まずはそのようにして選抜１万ぐらいの案を捻出するのが良いのではないか。それらを［効率的な議論、建設的議論を可能にするシステム］で議論にかけることも考えられる。５００人の国会議員が１人２０の案を担当して１万の案を担当する、ということも考えられる。
【００１８】  意見トーナメント制を行うためには、著作物の更新記録を正確に保存するパソコンが必要になることも考えられる。それが個人の著作権を守る。それを元にして、良い意見を言った人間に利益が還元されることも考えるのが良いだろう。
【発明を実施するための最良の形態】
【００１９】  それをコンピュータープログラムという形態にし、ネットもしくはコンピューター上でやりとり出来る様にすること、複数の者が同時にアクセスできるようにできる状況であることが考えられる。
(57)【要約】【課題】  映像を必須要項としており、必然的にシステム的コスト高となり、顔を見せたくなくなり状態においては使用者が嫌うケースがある。  また、施設を運営する側としてはやはりビジネスとして課金システムは必要です。【解決手段】客室間において音声でコミュニケーションを行うシステムであって、各部屋にマイクとスピーカーとからなる音声装置と、各部屋の音声装置の使用状態をコントロールする制御装置と、各部屋を使用しているものが音声を聞かせる及び音声を聞くかを設定できる設定装置とからなるである。【選択図】図１
2012155694.tif 000002
【特許請求の範囲】
【請求項１】
客室間において音声でコミュニケーションを行うシステムであって、各部屋にマイクとスピーカーとからなる音声装置と、各部屋の音声装置の使用状態をコントロールする制御装置と、各部屋を使用している者が音声を聞かせる及び音声を聞くかを設定できる設定装置とからなることを特徴とする音声コミュニケーションシステム。
【請求項２】
制御装置に、課金機能を設けてなることを特徴とする請求項１記載の音声コミュニケーションシステム。
【発明の詳細な説明】
【技術分野】
【０００１】  本発明は、例えば、客室やカラオケＢＯＸ等の各部屋の使用者同士の許可を得て音声にてコミュニケーションを計る音声コミュニケーションシステムに関するものである。【０００２】  従来の技術として客室端末は、利用者インタフェースによる所定の入力に応答して管理端末に所定のコマンドを発行し、テレビ会議の相手を仲介してほしい旨を依頼する。この仲介依頼を受けた管理端末は、他の客室端末におけるディスプレイにテレビ会議の相手をしてほしい旨の誘引メッセージを返答の仕方とともに表示する。この誘引メッセージを受けた客室端末の利用者インタフェースによる返答を管理端末で受信処理し、交渉が成立した客室端末の間でテレビ会議送信手段と受信手段とを相互に回線接続するものがある。（特許文献１参照）【０００３】  また、別の従来技術として、複数個のカラオケを行うことができるボックス本体と、この複数個のボックス本体内にそれぞれ設置されたカラオケ装置と、前記複数個のボックス本体内にそれそれ設置されたビデオカラオケと、これらのビデオカメラからの映像と音声とを出すことができるように前記複数個のボックス本体内にそれぞれ設置された少なくとも１個以上のモニターテレビと、前記複数個のボックス本体内にそれぞれ設置された該ボックス本体内から他のボックス本体内への映像と音声のＯＮ、ＯＦＦ及び他のボックス本体内からの映像と音声とを選択的にモニターテレビに出すことのできる選択回路とを備えたことを特徴とするカラオケボックスがある。（特許文献２参照）
【先行技術文献】
【特許文献】
【０００４】
【特許文献１】特開平１１−１８４４８５号
【特許文献２】特開平５−２１６４８６号
【発明の概要】
【発明が解決しようとする課題】
【０００５】  上記前者及び上記後者においては、映像を必須要項としており、必然的にシステム的コスト高となり、顔を見せたくなくない状態においては使用者が嫌うケースがある。
また、施設を運営する側としてはやはりビジネスとして課金システムは必要です。【０００６】  本発明は、このような従来の機構が有していた問題を解決しようとするものであり、音声装置と制御装置と設定装置とにより、シンプルでありながら、相手のプライバシーも守り、ビジネスとしても成立する音声コミュニケーションシステムを提供することを目的とする。
【課題を解決するための手段】
【０００７】  本発明は、上記目的を達成するため、客室間において音声でコミュニケーションを行うシステムであって、各部屋にマイクとスピーカーとからなる音声装置と、各部屋の音声装置の使用状態をコントロールする制御装置と、各部屋を使用しているものが音声を聞かせる及び音声を聞くかを設定できる設定装置とからなる。制御装置に、課金機能を設けてなること。
【発明の効果】
【０００８】１）音声装置と制御装置と設定装置とのシンプルな構成ながら、各部屋の使用者の許可を    得て音声にてコミュニケーションを計ることができる。
２）課金機能により、施設のオーナーにもビジネスが成立し、お客様（使用者）に楽しん    でいただきながら収益を上げることができる。
【図面の簡単な説明】
【０００９】
【図１】  本発明の音声コミュニケーションシステムの構成図。
【図２】  本発明の音声コミュニケーションシステムの設定装置の平面図。
【図３】  本発明の音声コミュニケーションシステムの使用フローチャート図。
【発明を実施するための形態】
【００１０】  音声コミュニケーションシステム１は、各部屋２・３・４・５・６内に、マイクとスピーカーからなる音声装置１ａと、各部屋２・３・４・５・６内の各音声装置１ａ−−−の使用状況をコントロールする制御装置１ｂと、各部屋２・３・４・５・６を使用している者が音声を聞かせる及び音声を聞くかを設定する設定装置１ｃ−−−とからなる。
なお、制御装置１ｂに課金機能１ｂ１を設けるのが望ましい。
【００１１】  設定装置１ｃは、タッチパネル方式で、他の部屋の使用者に声（音声）を聞かせてもよい場合は、声（音声）を聞かす１ｃ１をタッチする。
他の部屋の使用者の声（音声）を聞きたい場合は、声を聞く１ｃ２をタッチする。
このとき、各部屋２・３・４・５・６を指定する場合は、指定してもよい。
【００１２】  つぎに、使用手順を説明する。
まず、各部屋２ないし６に使用者が入室する。
中では、話をしたり、歌を歌ったり、会議をしたり、状態（状況）は自由とする。
他の部屋はどうなっているんだろうと気になったら、他の部屋２ないし６を指定し、設定装置１ｃの声を聞く１ｃ２をタッチする。
このとき、聞きたい部屋の使用者が設定装置１ｃの声を聞かす１ｃ１をＯＮしていなければ成立しない。
なお、成立した時点で課金され、他の部屋の声（音声等）を聞くことができる。
また、他の部屋に自分たちの声（音声等）を聞かせてもよい場合は、設定装置１ｃの声を聞かす１ｃ１をＯＮする。
このとき、課金され、自分たちの声（音声等）を他の部屋の使用者に聞かせることができる。
【００１３】  上記実施例において、使用目的等は特に限定せず、色々考えられる。
また、課金の金額等も自由設定できるものである。
【符号の説明】
【００１６】１−−−音声コミュニケーションシステム
１ａ−−音声装置
１ｂ−−制御装置
１ｂ１−課金機能
１ｃ−−設定装置
１ｃ１−声を聞かす
１ｃ２−声を聞く
２−−−部屋
【図１】
2012155694.tif 000003
【図２】
2012155694.tif 000004
【図３】
2012155694.tif 000005
(57)【要約】      （修正有）【課題】第三者サーバに外部デバイスを特定させるシステムを提供する。【解決手段】第三者サーバに外部デバイスを特定させるシステムであって、ａ）外部デバイスから当該外部デバイスのＩＤを受領する周囲デバイスと、ｂ）周囲デバイスから当該周囲デバイスのＩＤ及び前記外部デバイスのＩＤを受領するプロセシングサーバと、ｃ）前記外部デバイスの情報を有する第三者サーバであって、前記プロセシングサーバからＩＤを受領し、次いで、前記外部デバイスを特定するために、前記第三者サーバに格納されたＩＤに対して、受領したＩＤをマッチングさせる第三者サーバと、を含むシステム。【選択図】図１
2012155693.tif 000002
【特許請求の範囲】
【請求項１】
第三者サーバに外部デバイスを特定させるシステムであって、
ａ）外部デバイスから当該外部デバイスのＩＤを受領する周囲デバイスと、
ｂ）周囲デバイスから当該周囲デバイスのＩＤ及び前記外部デバイスのＩＤを受領するプロセシングサーバと、
ｃ）前記外部デバイスの情報を有する第三者サーバであって、前記プロセシングサーバからＩＤを受領し、次いで、前記外部デバイスを特定するために、前記第三者サーバに格納されたＩＤに対して、受領したＩＤをマッチングさせる第三者サーバと、を含むシステム。
【請求項２】
前記第三者サーバが、前記外部デバイスの位置を特定するために、前記プロセシングサーバから受領した情報を使用する、請求項１記載のシステム。
【請求項３】
前記第三者サーバが、イベントを引き起こさせるために、前記プロセシングサーバから受領した情報を使用する、請求項１記載のシステム。
【請求項４】
前記第三者サーバが、前記外部デバイスのユーザを認証するために、前記プロセシングサーバから受領した情報を使用する、請求項１記載のシステム。
【請求項５】
前記第三者サーバが、メッセージの伝達を調整させるために、イベントの引き起こし及び／又は位置情報を使用する、請求項１又は２記載のシステム。
【請求項６】
前記第三者サーバが、クーポン情報を提供するために、位置情報を使用する、請求項２又は５記載のシステム。
【請求項７】
前記第三者サーバが、前記外部デバイスの位置を確定させるために、位置情報を使用する、請求項２記載のシステム。
【請求項８】
前記第三者サーバが、前記外部デバイスのユーザの位置を確定させるために前記外部デバイスの位置情報を使用する、請求項７記載のシステム。
【請求項９】
前記第三者サーバが、電子的なドアやメカニズムを開く又は閉じるために、位置情報を使用する、請求項３記載のシステム。
【請求項１０】
前記第三者サーバが、前記外部デバイスのユーザの位置の近接を知らせるために、イベントの引き起こし及び／又は位置情報を使用する、請求項３、５又は８記載のシステム。
【請求項１１】
前記第三者サーバが、前記外部デバイスが盗難された外部デバイスであることを知らせるために、イベントの引き起こし及び／又は位置情報を使用する、請求項３、５又は８記載のシステム。
【発明の詳細な説明】
【技術分野】
【０００１】  本発明は、第三者サーバに外部デバイスを特定させるシステムに関する。
【発明の概要】
【課題を解決するための手段】
【０００２】本発明は以下に関するものである。
（１）第三者サーバに外部デバイスを特定させるシステムであって、
ａ）外部デバイスから当該外部デバイスのＩＤを受領する周囲デバイスと、
ｂ）周囲デバイスから当該周囲デバイスのＩＤ及び前記外部デバイスのＩＤを受領するプロセシングサーバと、
ｃ）前記外部デバイスの情報を有する第三者サーバであって、前記プロセシングサーバからＩＤを受領し、次いで、前記外部デバイスを特定するために、前記第三者サーバに格納されたＩＤに対して、受領したＩＤをマッチングさせる第三者サーバと、を含むシステム。
（２）前記第三者サーバが、前記外部デバイスの位置を特定するために、前記プロセシングサーバから受領した情報を使用する、（１）記載のシステム。
（３）前記第三者サーバが、イベントを引き起こさせるために、前記プロセシングサーバから受領した情報を使用する、（１）記載のシステム。
（４）前記第三者サーバが、前記外部デバイスのユーザを認証するために、前記プロセシングサーバから受領した情報を使用する、（１）記載のシステム。
（５）前記第三者サーバが、メッセージの伝達を調整させるために、イベントの引き起こし及び／又は位置情報を使用する、（１）又は（２）記載のシステム。
（６）前記第三者サーバが、クーポン情報を提供するために、位置情報を使用する、（２）又は（５）記載のシステム。
（７）前記第三者サーバが、前記外部デバイスの位置を確定させるために、位置情報を使用する、（２）記載のシステム。
（８）前記第三者サーバが、前記外部デバイスのユーザの位置を確定させるために、前記外部デバイスの位置情報を使用する、（７）記載のシステム。
（９）前記第三者サーバが、電子的なドアやメカニズムを開く又は閉じるために、位置情報を使用する、（３）記載のシステム。
（１０）前記第三者サーバが、前記外部デバイスのユーザの位置の近接を知らせるために、イベントの引き起こし及び／又は位置情報を使用する、（３）、（５）又は（８）記載のシステム。
（１１）前記第三者サーバが、前記外部デバイスが盗難された外部デバイスであることを知らせるために、イベントの引き起こし及び／又は位置情報を使用する、（３）、（５）又は（８）記載のシステム。
【図面の簡単な説明】
【０００３】
【図１】  本発明を説明する図である。
【図２】  本発明を説明する図である
【発明を実施するための形態】
【０００４】  周囲デバイス（ＰＤ）は、周りの外部デバイス（ＦＤ）のＩＤを探し、もしＰＤがＦＤのＩＤを見つけると、それは、ＦＤのＩＤ及び／又はＰＤのＩＤを、プロセシングサーバ（ＰＳ）に送付し、そこでは、ＦＤのＩＤ及び／又はＰＤのＩＤが関連情報のために処理される。関連情報の例としては含みうるものは、位置情報や、ＦＤがどのような種類のデバイスなのかである。関連情報がアセンブルされると、それはＰＳから第三者サーバー（ＴＰＳ）に、配信のために送付される。ＴＰＳがその送信をＰＳから受け取ると、それは、トランザクションに含まれる、ＦＤのＩＤ、ＰＤのＩＤ及び／又は関連情報に対して、アクションを生じる。生じるアクションの例として含みうるものは、受け取った情報をＦＤやＦＤのユーザの位置特定に使用すること、ＦＤとのコンタクトを試みるために、コンタクト情報を有する内部データベースにＦＤのＩＤをマッチングさせること、認証を行うこと、又は、電子的なドアやメカニズムをオープンにさせるようなイベントを引き起こさせること、がある。
【図１】
2012155693.tif 000003
【図２】
2012155693.tif 000004
【外国語明細書】
2012155693.tif 000005
2012155693.tif 000006
2012155693.tif 000007
2012155693.tif 000008
2012155693.tif 000009
2012155693.tif 000010
2012155693.tif 000011
2012155693.tif 000012